(57)【要約】【課題】複数の処理を実行可能な画像印刷装置において、実行させる処理をより速やかに指定する。【解決手段】画像印刷装置１０は、画像を表示するタッチパネル５１０と、操作ボタン５３２〜５３６と、処理実行部１３２，１３４と、第１と第２の指示取得部と、を備えている。処理実行部１３２，１３４は、互いに異なる複数の処理を実行可能なように構成されている。第１の指示取得部は、ユーザがタッチペン２０でタッチパネル５１０に触れることにより与える第１の指示を取得する。また、第２の指示取得部は、ユーザが操作ボタン５３２〜５３６を操作することにより与える第２の指示を取得する。処理実行部１３２，１３４は、互いに異なる種類の第２の指示に基づいて、互いに異なる処理を同一種類の第１の指示に応じて実行する。【選択図】図２
2008176351.tif 000002
【特許請求の範囲】
【請求項１】
画像印刷装置であって、
画像を表示するタッチパネルと、
操作ボタンと、
互いに異なる複数の処理を実行し得る処理実行部と、
ユーザがタッチペンで前記タッチパネルに触れることにより与える第１の指示を取得する第１の指示取得部と、
ユーザが前記操作ボタンを操作することにより与える第２の指示を取得する第２の指示取得部と、
を備え、
前記処理実行部は、互いに異なる種類の第２の指示に基づいて、互いに異なる処理を同一種類の第１の指示に応じて実行する、
画像印刷装置。
【請求項２】
請求項１記載の画像印刷装置であって、
前記タッチパネルは、前記タッチペンの前記タッチパネルに対する位置関係を取得するペン位置取得部を有しており、
前記処理実行部は、前記ペン位置取得部により取得された前記位置関係が前記タッチペンと前記タッチパネルとの距離が所定の距離以下であることを表す場合に、前記処理実行部が実行し得る前記複数の処理のうちから前記位置関係と前記第２の指示に基づいて特定される処理を表す画像を前記タッチパネルに表示する処理画像表示制御部を備える、
画像印刷装置。
【請求項３】
請求項２記載の画像印刷装置であって、
前記処理画像表示制御部は、前記タッチパネル上の前記タッチペンとの距離が最も近い距離となる位置に前記処理を表す画像を表示する、画像印刷装置。
【請求項４】
請求項１ないし３のいずれか記載の画像印刷装置であって、
前記処理実行部は、前記複数の処理のうちの特定の処理の実行を指定する前記第１の指示が継続して与えられた場合に、前記第１の指示の継続に応じて前記特定の処理を継続的に実行する、画像印刷装置。
【請求項５】
画像印刷装置における処理の実行方法であって、
前記画像印刷装置は、
画像を表示するタッチパネルと、
操作ボタンと、
互いに異なる複数の処理を実行し得る処理実行部と、
を備え、
前記処理の実行方法は、
ユーザがタッチペンで前記タッチパネルに触れることにより与える第１の指示を取得する工程と、
ユーザが前記操作ボタンを操作することにより与える第２の指示を取得する工程と、
互いに異なる種類の第２の指示に基づいて、互いに異なる処理を同一種類の第１の指示に応じて実行する工程と、
を含む、処理の実行方法。
【発明の詳細な説明】
【技術分野】
【０００１】
この発明は、画像印刷装置において実行しうる複数の処理から実行される処理を特定する技術に関する。
【背景技術】
【０００２】
プリンタやスキャナ・プリンタ・コピー複合機（「複合機」あるいは「ＭＦＰ」とも呼ばれる）等の画像印刷装置では、画像印刷装置の高機能化に伴い画像処理などの種々の処理が実行されるようになってきている。画像印刷装置のユーザは、これらの処理を実行するために、実行する処理を特定する指示を画像印刷装置に与える。このユーザの指示を取得するために実行可能な処理の数に応じたハードボタンを設けると、ハードボタンを配置するスペースを確保するために画像印刷装置が大型化する。そのため、画像印刷装置に液晶パネルと、液晶パネルに表示されたメニューから処理を選択するためのハードボタンと、を設けることによりハードボタン数の低減が行われている。
【０００３】
【特許文献１】特開平６−３４３１１９号公報
【特許文献２】特開平７−３１１４５７号公報
【特許文献３】特開２０００−６９４０４号公報
【特許文献４】特開２００２−２１４６８８号公報
【特許文献５】特開２００２−２１８４５４号公報
【特許文献６】特開２００２−３０４６６９号公報
【発明の開示】
【発明が解決しようとする課題】
【０００４】
しかしながら、液晶パネルに表示しうる情報量は限られているので、液晶パネルに表示されたメニューから処理を選択する場合、選択する処理によっては複数のメニューを順次たどらなければ選択できないおそれがある。このように、複数のメニューを順次たどっていくと、ハードボタンの操作回数が増加し、所望の処理の実行を指示するために要する時間が長くなる可能性がある。
【０００５】
本発明は、上述した従来の課題を解決するためになされたものであり、複数の処理を実行可能な画像印刷装置において、実行させる処理をより速やかに指定可能とすることを目的とする。
【課題を解決するための手段】
【０００６】
上記目的の少なくとも一部を達成するために、本発明の画像印刷装置は、画像を表示するタッチパネルと、操作ボタンと、互いに異なる複数の処理を実行し得る処理実行部と、ユーザがタッチペンで前記タッチパネルに触れることにより与える第１の指示を取得する第１の指示取得部と、ユーザが前記操作ボタンを操作することにより与える第２の指示を取得する第２の指示取得部と、を備え、前記処理実行部は、互いに異なる種類の第２の指示に基づいて、互いに異なる処理を同一種類の第１の指示に応じて実行することを特徴とする。
【０００７】
この構成によれば、ユーザは、タッチペンによって第１の指示を与えることによって、互いに異なる処理の実行を画像印刷装置に指示することができる。そのため、ユーザは、実行させる画像印刷装置に実行させる処理をより速やかに指定することができる。
【０００８】
前記タッチパネルは、前記タッチペンの前記タッチパネルに対する位置関係を取得するペン位置取得部を有しており、前記処理実行部は、前記ペン位置取得部により取得された前記位置関係が前記タッチペンと前記タッチパネルとの距離が所定の距離以下であることを表す場合に、前記処理実行部が実行し得る前記複数の処理のうちから前記位置関係と前記第２の指示に基づいて特定される処理を表す画像を前記タッチパネルに表示する処理画像表示制御部を備えるものとしても良い。
【０００９】
この構成によれば、タッチペンとタッチパネルとの位置関係と、第２の指示によって特定される処理を表す画像がタッチパネルに表示される。そのため、ユーザは、タッチペンを接触させて第１の指示を与えた場合に実行される処理を予め確認できるので、画像印刷装置に実行させる処理の指定がより容易となる。
【００１０】
前記処理画像表示制御部は、前記タッチパネル上の前記タッチペンとの距離が最も近い距離となる位置に前記処理を表す画像を表示するものとしても良い。
【００１１】
この構成によれば、ユーザは、タッチペンがタッチパネルに接触する前に、タッチペンが接触するタッチパネル上の位置を予め確認することができる。そのため、タッチペンを用いた第１の指示をより正確に与えることができるので、画像印刷装置に実行させる処理の指定がより容易となる。
【００１２】
前記処理実行部は、前記複数の処理のうちの特定の処理の実行を指定する前記第１の指示が継続して与えられた場合に、前記第１の指示の継続に応じて前記特定の処理を継続的に実行するものとしても良い。
【００１３】
この構成によれば、特定の処理については、指示の継続により継続的に処理が適用される。そのため、特定の処理を適宜設定することにより、ユーザは、連続的に処理が適用されるのが好ましい処理の実行指示をより容易に与えることができる。
【００１４】
なお、本発明は、種々の態様で実現することが可能である。例えば、画像印刷装置と画像印刷装置における処理の実行方法、その画像印刷装置の制御装置と制御方法、それらの装置および方法の機能を実現するためのコンピュータプログラム、そのコンピュータプログラムを記録した記録媒体、そのコンピュータプログラムを含み搬送波内に具現化されたデータ信号、等の態様で実現することができる。
【発明を実施するための最良の形態】
【００１５】
次に、本発明の実施の形態を実施例に基づいて以下の順序で説明する。
Ａ．第１実施例
Ｂ．第２実施例
Ｃ．変形例
【００１６】
Ａ．第１実施例：
図１は、本発明の一実施例としての複合機１０を示す斜視図である。この複合機１０は、プリンタとスキャナの機能を有しており、外部のコンピュータに接続されることなく、単体で画像のスキャンや印刷を行うことができる。この複合機１０は、メモリカードスロット２００と、操作パネル５００と、タッチペン２０を格納するペンホルダ６００と、を備えている。ペンホルダ６００は、操作パネル５００に隣接して設けられている。
【００１７】
図２（ａ）は、複合機１０の内部構成を示すブロック図である。複合機１０は、制御部１００と、メモリカードスロット２００と、スキャンエンジン３００と、プリントエンジン４００と、操作パネル５００と、を備えている。
【００１８】
制御部１００は、メモリカード制御部１１０と、スキャン処理実行部１２０と、印刷処理実行部１３０と、操作パネル制御部１４０と、を有している。印刷処理実行部１３０は、対象画像選択部１３２と、対象画像編集部１３４と、これらの各部１３２，１３４により参照されるデータが格納される処理情報格納部１３６と、を備えている。制御部１００は、図示しない中央処理装置（ＣＰＵ）とメモリとを備えるコンピュータとして構成されている。制御部１００が有する各部の機能は、ＣＰＵがメモリに格納されたプログラムを実行することにより実現される。
【００１９】
メモリカードスロット２００は、メモリカードＭＣを受け入れる機構である。メモリカード制御部１１０は、メモリカードスロット２００に挿入されたメモリカードＭＣにファイルを格納し、あるいは、メモリカードＭＣに格納されたファイルを読み出す。ただし、メモリカード制御部１１０は、メモリカードＭＣに格納されたファイルを読み出す機能のみを有していても良い。図２の例では、メモリカードスロット２００に挿入されたメモリカードＭＣには、複数の画像ファイルＧＦが格納されている。
【００２０】
スキャンエンジン３００は、原稿台（図示しない）に配置された原稿をスキャンして、原稿上に形成された画像を表すスキャンデータを生成する機構である。スキャンエンジン３００で生成されたスキャンデータは、スキャン処理実行部１２０に供給される。スキャン処理実行部１２０は、スキャンエンジン３００から供給されるスキャンデータから、所定の形式の画像データを生成する。なお、スキャン処理実行部１２０の代わりに、スキャンエンジン３００が画像データの生成を行うように構成することも可能である。
【００２１】
プリントエンジン４００は、与えられた印刷データに応じて印刷を実行する印刷機構である。プリントエンジン４００に供給される印刷データは、印刷処理実行部１３０により、メモリカードＭＣ中の画像ファイルＧＦに格納された画像データから生成される。具体的には、対象画像選択部１３２は、メモリカードＭＣ中の画像ファイルＧＦから印刷の対象となる画像ファイル（対象画像ファイル）を選択する。対象画像編集部１３４は、対象画像選択部１３２により選択された対象画像ファイルから画像データを取り出し、取り出された画像データに種々の処理を施すことにより、印刷対象の画像（対象画像）の編集を行う。編集された画像データには印刷処理実行部１３０により色変換やハーフトーン処理が施され、印刷データが生成される。このように、対象画像ファイルを選択することは、対象画像を選択することと同等であるので、対象画像選択部１３２は対象画像を選択しているともいうことができる。なお、対象画像選択部１３２と対象画像編集部１３４との具体的な機能、および、処理情報格納部１３６に格納された情報（動作指定テーブル、選択機能割当テーブル、および、編集機能割当テーブル）の内容については、後述する。
【００２２】
第１実施例では、プリントエンジン４００に供給される印刷データは、画像ファイルＧＦに格納された画像データから生成されているが、印刷データは、スキャン処理実行部１２０により取得された画像データや、図示しないＵＳＢコネクタを介して接続されたデジタルスチルカメラから供給される画像データや、ＵＳＢコネクタを介して接続されたパーソナルコンピュータ等の外部の機器から複合機１０に供給される受信データから生成することも可能である。また、印刷処理実行部１３０の代わりにプリントエンジン４００が色変換やハーフトーン処理の機能を有するように構成することも可能である。
【００２３】
操作パネル５００は、複合機１０が備えるマンマシンインターフェースである。図２（ｂ）は、操作パネル５００の一例を示す説明図である。操作パネル５００は、タッチパネル５１０と、複合機１０の電源投入状態を切り替えるための電源ボタン５２０と、３つの機能ボタン５３２，５３４，５３６と、を有している。
【００２４】
タッチパネル５１０は、操作パネル制御部１４０から供給される画像データに基づいて、タッチパネル５１０上に画像を表示する。タッチパネル５１０は、また、複合機１０に付属するタッチペン２０と、タッチパネル５１０への接触状態を検知する。具体的には、タッチパネル５１０は、タッチペン２０の接触した位置がタッチパネル５１０上のどの位置にあるかを検知するとともに、タッチペン２０の先端部２２と後端部２４とのいずれがタッチパネル５１０に接触したかを検知する。そして、タッチペン２０の接触位置の検知結果と、先端部２２と後端部２４とのいずれが接触したかについての検知結果と、を含む情報（接触状態情報）を操作パネル制御部１４０に供給する。
【００２５】
複合機１０は、操作パネル制御部１４０を介してタッチパネル５１０から供給される接触状態情報および機能ボタン５３２〜５３６の操作状態に基づいて、ユーザが複合機１０に与える指示を取得する。具体的には、制御部１００の各部は、ユーザの指示を求めるメニューを表すメニュー画像データを生成し、生成したメニュー画像データを操作パネル制御部１４０を介してタッチパネル５１０に供給する。タッチパネル５１０は、供給されたメニュー画像データに基づいて、タッチパネル５１０上にメニューを表示する。次いで、制御部１００の各部は、操作パネル制御部１４０を介してタッチパネル５１０から接触状態情報を取得する。制御部１００の各部は、取得した接触状態情報から、タッチパネル５１０に表示されたメニュー上の特定の領域が、タッチペン２０により触れられたか否かを判断する。そして、その特定の領域が、タッチペン２０により触れられた場合、触れられた領域に応じてユーザの指示を取得する。なお、本明細書では、ユーザがタッチペン２０でタッチパネル５１０に表示されたメニューの特定の領域に触れることを、その特定の領域を「操作する」ともいう。
【００２６】
図３は、画像の印刷を行うための画像印刷ルーチンを示すフローチャートである。この画像印刷ルーチンは、ユーザが、タッチペン２０を用いて複合機１０に画像の印刷の指示を与えることにより実行される。
【００２７】
ステップＳ１１０において、印刷処理実行部１３０（図２）の対象画像選択部１３２は、印刷対象となる画像（対象画像）を選択するための画面（対象画像選択画面）をタッチパネル５１０に表示する。具体的には、対象画像選択部１３２は、対象画像選択画面を表す画像データを生成する。そして、生成された画像データを操作パネル制御部１４０を介してタッチパネル５１０に供給する。タッチパネル５１０は、供給された画像データに基づいて、対象画像選択画面をタッチパネル５１０上に表示する。
【００２８】
図４は、対象画像選択部１３２により、タッチパネル５１０に対象画像選択画面ＳＩＳが表示されている様子を示す説明図である。対象画像選択画面ＳＩＳには、画像表示領域ＲＩＭと、５つのボタン領域ＢＳ１〜ＢＳ５が設けられている。画像表示領域ＲＩＭには、複数の画像ファイルＧＦ（図２）のうちの第１の画像ファイルの画像ＩＭ１が表示されている。この表示画像ＩＭ１には、表示画像ＩＭ１の順番をユーザに通知するためのファイル番号通知メッセージＭＮ１と、表示画像ＩＭ１に設定されている印刷枚数をユーザに通知するための印刷枚数通知メッセージＭＰ１と、が重ね合わせて表示されている。
【００２９】
ボタン領域ＢＳ１〜ＢＳ５のそれぞれには、タッチペン２０でこれらの領域に触れた時に実行される機能が表示されている。このように、これらのボタン領域ＢＳ１〜ＢＳ５のいずれかをユーザが操作することにより、ボタン領域ＢＳ１〜ＢＳ５のそれぞれに対応づけられた機能が実行される。そのため、これらのボタン領域ＢＳ１〜ＢＳ５は、ソフトウェアで実現されたボタンといえるので、「ソフトボタン」とも呼ばれる。一方、機能ボタン５３２〜５３６は、押下により操作されるハードウェアで実現されたボタンであるので、「ハードボタン」とも呼ばれる。なお、これらのハードボタンとソフトボタンとは、いずれもユーザによる操作を許容するボタンであるので、本明細書では、これらを併せて「操作ボタン」とも呼ぶ。
【００３０】
図３のステップＳ１２０において、対象画像選択部１３２は、対象画像を選択するためのユーザの指示を取得し、ユーザの指示に従って複数の画像ファイルＧＦのうちから印刷対象画像ファイルを選択する。図５は、ステップＳ１２０において対象画像選択部１３２により実行される対象画像選択ルーチンを示すフローチャートである。図６は、処理情報格納部１３６（図２）に格納され、対象画像選択部１３２により使用される情報の一例を示す表である。
【００３１】
図６（ａ）の表は、対象画像選択ルーチンの実行中に対象画像選択部１３２が実行可能な処理機能（以下、単に「機能」とも呼ぶ）の一例を示している。図６（ａ）に示すように、対象画像選択ルーチンの実行中には、１１種類の機能（選択Ａ〜選択Ｋ）が使用可能となっている。これらの機能のうち、最初の３つの機能（選択Ａ〜選択Ｃ）は、画像表示領域ＲＩＭ（図４）に表示された画像の印刷枚数を変更するための機能である。次の４つの機能（選択Ｄ〜選択Ｇ）は、画像表示領域ＲＩＭに表示された画像を変更するための機能である。そして、最後の４つの機能（選択Ｈ〜選択Ｋ）は、画像表示領域ＲＩＭへの画像の表示状態を変更するための機能である。なお、選択Ｊの機能により表示される表示画像の情報には、例えば、画像ファイルのファイル名、画像の撮影日時、画像の撮影時の撮影パラメータ（絞り値、焦点距離）、ヒストグラム等が含まれる。図６（ａ）の「継続」の欄は、継続操作（後述する）を受け付けるか否かを示している。図６（ａ）の「継続」の欄が「○」となっている機能は継続操作を受け付け、「継続」の欄が「×」となっている機能は継続操作を受け付けないことを示している。
【００３２】
ステップＳ２１０において、対象画像選択部１３２は、ユーザによる操作パネル５００（図２）の操作状態を表す操作情報を取得する。ここで操作情報とは、タッチペン２０の接触状態情報と、機能ボタン５３２〜５３６の操作状態を表すボタン操作情報と、を含む情報である。
【００３３】
ステップＳ２２０において、対象画像選択部１３２は、ステップＳ２１０で取得された操作情報から、ユーザによる操作がタッチペン２０でタッチパネル５１０のソフトボタンＢＳ１〜ＢＳ５（図４）の操作であったか否かを判断する。ユーザの操作がソフトボタンＢＳ１〜ＢＳ５のいずれかの操作であった場合、制御はステップＳ３１０に移される。一方、ユーザの操作がソフトボタンＢＳ１〜ＢＳ５のいずれの操作でもなかった場合、制御はステップＳ２３０に移される。
【００３４】
図７（ａ）は、ユーザにより操作パネル５００の操作が行われている様子を示している。図７（ａ）は、機能ボタン５３２（ＦＮ１）を操作するユーザの指とタッチパネル５１０に接触しているタッチペン２０とが描かれている点と、ファイル番号通知メッセージが１２番目の画像ファイルであることを表すメッセージＭＮ２に置き換えられている点と、設定された印刷枚数を通知するメッセージが３枚であることを表すメッセージＭＰ２に置き換えられている点とで、図４と異なっている。他の点は、図４と同じである。図７（ａ）の例では、ユーザは、機能ボタン５３２（ＦＮ１）を操作しながら、タッチペン２０の先端部２２でタッチパネル５１０に触れている。図７（ａ）の例では、タッチペン２０の先端部２２は、ボタン領域ＢＳ１〜ＢＳ５でない画像表示領域ＲＩＭに触れている。そのため、ステップＳ２２０では、ユーザの操作がソフトボタンＢＳ１〜ＢＳ５の操作でないと判断され、制御はステップＳ２３０に移される。
【００３５】
ステップＳ２３０において、対象画像選択部１３２は、処理情報格納部１３６（図２）に格納された動作指定テーブルを参照して、ステップＳ２１０で取得された操作情報からユーザが実行を指示した動作を特定する。図６（ｂ）は、処理情報格納部１３６に格納される動作指定テーブルの一例を示す表である。この動作指定テーブルでは、接触したペン先が先端であるか後端であるかのタッチペン２０により与えられた２種類の指示と、機能ボタン５３２〜５３６の操作により与えられた４種類の指示と、に基づいて特定される８つの動作を示している。対象画像選択部１３２は、動作指定テーブルを参照することにより、対象画像選択部１３２が行いうる８つの動作（動作１〜動作８）のいずれかが指定されたかを特定する。なお、第１実施例では、機能ボタン５３２〜５３６は１つずつ操作されるものとしているが、複数の機能ボタンの操作を許容することもできる。この場合、機能ボタン５３２〜５３６の操作により、ユーザは８種類の指示を与えることができ、１６の動作を指定することが可能となる。
【００３６】
図７（ａ）の例では、ユーザは、機能ボタン５３２（ＦＮ１）を操作しながら、タッチペン２０の先端部２２でタッチパネル５１０に触れている。そのため、ステップＳ２３０において、ユーザにより指定された動作は、図６（ｂ）の動作指定テーブルのハッチング部で示される「動作３」であると特定される。
【００３７】
図５のステップＳ２４０において、対象画像選択部１３２は、処理情報格納部１３６（図２）に格納された選択機能割当テーブルを参照して、ユーザにより実行を指定された機能を特定する。図６（ｃ）は、処理情報格納部１３６に格納される選択機能割当テーブルの一例を示す表である。選択機能割当テーブルには、ユーザにより指定される８つの動作（動作１〜動作８）のそれぞれに対して、その動作が指定された場合に実行される機能が割り当てられている。なお、この選択機能割当テーブルは、固定的に動作と機能とを割り当てるものとしても良く、ユーザの指示により動作と機能との割当が変更可能となっていても良い。ただし、ユーザの好みに応じて実行される機能が設定できる点で、割当を変更可能とすることがより好ましい。この場合、動作と機能との割当は、ユーザが機能割当のためのメニューを操作することにより、印刷処理の実行前に予めユーザにより設定される。
【００３８】
図７（ａ）の例では、ステップＳ２３０において特定された動作は「動作３」である。そのため、ユーザにより実行が指定された機能は、「選択Ｄ」の機能、すなわち、表示画像を次の画像に切り換える機能となる。
【００３９】
図５のステップＳ２５０において、対象画像選択部１３２は、ユーザの操作が継続して行われている操作（継続操作）であるか否かを判断する。具体的には、対象画像選択部１３２は、ステップＳ２１０の前回の実行により取得された操作情報と、ステップＳ２１０の今回の実行により取得された操作情報と、が同一であるか否かを判断する。前回と今回との操作情報が同一であった場合、ユーザの操作が継続して行われていると判断され、制御はステップＳ２６０に移される。一方、前回と今回との操作情報が同一でなかった場合、ユーザの操作が継続して行われていないと判断され、制御はステップＳ２７０に移される。そして、ステップＳ２７０において、ユーザにより指定された機能が実行される。
【００４０】
なお、継続操作であるか否かは、タッチペン２０の接触状態のみに基づいて決定することもできる。この場合、タッチペン２０の接触状態が変化していない場合には、選択ボタン５３２〜５３６の操作状態が変化しても操作が継続していると判断するものとしても良い。
【００４１】
ステップＳ２６０では、対象画像選択部１３２は、指定された機能が継続操作を受け付け可能か否かを判断する。具体的には、選択機能割当テーブル（図６（ｃ））を参照し、割り当てられた機能が継続操作を受け付けるか否かの情報を取得する。指定された機能が継続操作を受け付けると判断された場合には、制御はステップＳ２７０に移され、ユーザにより指定された機能が実行される。一方、指定された機能が継続操作を受け付けないと判断された場合には、制御はステップＳ２１０に戻される。図６（ｃ）に示す選択機能割当テーブルの例では、指定動作（動作１〜動作９）のいずれに割り当てられた機能も「継続」の欄が「×」となっている。そのため、タッチペン２０がタッチパネル５１０に接触した時にのみ指定された機能が実行される。
【００４２】
図７（ａ）の例では、ステップＳ２４０において特定された機能は「選択Ｄ」の機能である。そのため、ステップＳ２７０において、「選択Ｄ」の機能、すなわち、表示画像を次の画像に切り換える機能が実行される。
【００４３】
図７（ｂ）は、このように、「選択Ｄ」の機能が実行された際の操作パネル５００の様子を示している。「選択Ｄ」の機能の実行により表示画像は画像ＩＭ２から画像ＩＭ３に切り換えられている。この表示画像の切り換えに伴い、図７（ａ）のファイル番号通知メッセージＭＮ２は、２５個の画像ファイルＧＦのうちの１３番目の画像ファイルであることを示すメッセージＭＮ３に変更される。また、印刷枚数通知メッセージＭＰ２は、画像ＩＭ３に設定された印刷枚数が１枚であることを表すメッセージＭＰ３に変更される。
【００４４】
このとき、さらにユーザがタッチペン２０の後端部２４でタッチパネル５１０に触れると、ステップＳ２３０（図５）において「動作４」が指定動作として特定される。次いで、ステップＳ２４０において「選択Ｅ」の機能が指定機能として特定され、ステップＳ２７０において「選択Ｅ」の機能、すなわち、表示画像を前の画像に切り換える機能が実行される。このように、表示画像が前の画像に切り換えられると、図７（ｃ）に示すように、図７（ａ）で表示されていた画像ＩＭ２が画像表示領域ＲＩＭに表示される。そして、表示画像の切り換えに伴い、ファイル番号通知メッセージと印刷枚数通知メッセージは、図７（ａ）において表示されていたメッセージＭＮ２，ＭＰ２に戻される。
【００４５】
図５のステップＳ２２０でユーザの操作がソフトボタンＢＳ１〜ＢＳ５の操作であると判断されると、ステップＳ３１０に制御が移される。ステップＳ３１０において、対象画像選択部１３２（図２）は、ユーザの操作したソフトボタンが「ＯＫ」ボタンＢＳ５であるか否かを判断する。ユーザが「ＯＫ」ボタンＢＳ５を操作したと判断された場合、対象画像選択ルーチンの実行は終了し、制御は図３の画像印刷ルーチンに戻される。一方、ユーザが「ＯＫ」ボタンＢＳ５を操作していない、すなわち「ＯＫ」ボタンＢＳ５以外の他のソフトボタンＢＳ１〜ＢＳ４のいずれかが操作されたと判断された場合には、制御はステップＳ３２０に移される。
【００４６】
ステップＳ３２０において、対象画像選択部１３２（図２）は、ユーザの操作したソフトボタンが「機能選択」ボタンＢＳ３であるか否かを判断する。ユーザが「機能選択」ボタンＢＳ３を操作したと判断された場合、制御はステップＳ３３０に移される。一方、ユーザが「機能選択」ボタンＢＳ３を操作していない、すなわち「ＯＫ」ボタンＢＳ５および「機能選択」ボタンＢＳ３以外の他のソフトボタンＢＳ１，ＢＳ２，ＢＳ４のいずれかが操作されたと判断された場合には、制御は操作されたソフトボタンに対応する処理ルーチンに移される。
【００４７】
図８（ａ）は、ユーザがタッチパネル５１０に表示された「機能選択」ボタンＢＳ３を操作している様子を示している。この場合、図５のステップＳ２２０ではソフトボタンの操作が行われたと判断され、制御はステップＳ３１０に移される。ステップＳ３１０では、「ＯＫ」ボタンＢＳ５が操作されていないと判断され、制御はステップＳ３２０に移される。そして、ステップＳ３２０において、「機能選択」ボタンＢＳ３が操作されたと判断され、制御はステップＳ３３０に移される。
【００４８】
図５のステップＳ３３０において、対象画像選択部１３２は、実行する機能の指定をユーザに求める機能指定メニューをタッチパネル５１０に表示する。そして、ユーザがタッチペン２０をタッチパネル５１０に接触させる操作から、実行する機能を指定するユーザの指示を取得する。
【００４９】
図８（ｂ）は、タッチパネル５１０上に機能指定メニューＮＦＳが表示されている様子を示している。図８（ｂ）の例では、対象画像選択画面ＳＩＳ上に機能指定メニューＮＦＳが表示されている。ただし、タッチパネル５１０上に機能指定メニューＮＦＳのみを表示するものとしても良い。機能指定メニューＮＦＳには、機能の選択項目を表示するリストボックスＬＢＳと、リストボックスＬＢＳ内の選択項目をスクロールさせるためのスクロールバーＳＣＳが設けられている。図８（ｂ）の例では、リストボックスＬＢＳ内の選択項目は、図６（ｃ）の選択機能割当テーブルにおいて割り当てられていない機能がより上位に表示されている。これにより、タッチペン２０と機能ボタン５３２〜５３６との操作で実行されない機能をより容易に指定することができる。ただし、リストボックスＬＢＳ内の選択項目の配置はこの限りでない。例えば、図６（ａ）に示す処理機能の順に表示するものとしても良い。
【００５０】
ユーザは、リストボックスＬＢＳ内の選択項目が表示されている領域をタッチペン２０の先端部２２で触れることにより、実行する機能を指定する。図８（ｂ）の例では、タッチペン２０の先端部２２で、印刷枚数を０枚にする機能（図６（ａ）の「選択Ｃ」）を表す選択項目の表示領域に触れている。そのため、図５のステップＳ３３０では、実行する機能として「選択Ｃ」を指定する指示が取得される。
【００５１】
ステップＳ３４０において、対象画像選択部１３２は、ステップＳ３３０で取得したユーザの指示で指定される機能を実行する。そして、指定された機能の実行の後、制御はステップＳ２１０に戻され、「ＯＫ」ボタンＢＳ５（図８）が操作されるまで、ステップＳ２１０〜Ｓ３４０が繰り返し実行される。
【００５２】
図８（ｃ）は、図８（ｂ）で指定された機能（選択Ｃ）が実行された後のタッチパネル５１０上の表示状態を示している。上述のように、図８（ｂ）では、ユーザにより印刷枚数を０枚にする機能が指定されている。そのため、画像ＩＭ２の印刷枚数は０枚に設定され、印刷枚数が３枚であることを通知するメッセージＭＰ２が印刷枚数が０枚であることを通知するメッセージＭＰ２ａに変更される。
【００５３】
ユーザによる「ＯＫ」ボタンＢＳ５の操作により、制御が図５の対象画像選択ルーチンから図３の画像印刷ルーチンに戻されると、印刷処理実行部１３０（図２）の対象画像編集部１３４はステップＳ１３０を実行する。ステップＳ１３０において、対象画像編集部１３４は、全ての対象画像（すなわち、印刷枚数が１枚以上に設定された画像）の編集操作が終了したか否かを判断する。全ての対象画像の編集操作が終了したと判断された場合、制御はステップＳ１６０に移される。一方、全ての対象画像の編集操作が終了していないと判断された場合、制御はステップＳ１４０に移される
【００５４】
ステップＳ１４０において、対象画像編集部１３４は、対象画像を編集するための画面（対象画像編集画面）をタッチパネル５１０に表示する。そして、対象画像編集画面の表示の後、ステップＳ１５０において、表示された対象画像の編集操作が行われる。
【００５５】
図９は、ステップＳ１５０において対象画像編集部１３４により実行される対象画像編集ルーチンを示すフローチャートである。図９に示す対象画像編集ルーチンは、ステップＳ４４０で参照するテーブルが選択機能割当テーブルから編集機能割当テーブルに変更されている点で、図５に示す対象画像選択ルーチンのステップＳ２４０と異なっている。その他の点は、対象画像選択ルーチンと同じである。図１０は、処理情報格納部１３６（図２）に格納され、対象画像編集部１３４により使用される情報の一例を示す表である。なお、図１０（ｂ）の動作指定テーブルは、図６（ｂ）の動作指定テーブルと同一である。
【００５６】
図１０（ａ）の表は、対象画像編集ルーチンの実行中に対象画像編集部１３４が実行可能な機能（処理）の一例を示している。図１０（ａ）に示すように、対象画像編集ルーチンの実行中には、１１種類の機能（編集Ａ〜編集Ｋ）が使用可能となっている。これらの機能のうち、最初の６つの機能（編集Ａ〜編集Ｆ）は、対象画像全体に画像処理を施すための機能である。次の１つの機能（編集Ｇ）は、対象画像の一部分をトリミングするための機能である。そして、最後の４つの機能（編集Ｈ〜編集Ｋ）は、対象画像の表示状態を変更するための機能である。図１０（ａ）の「継続」の欄は、図６（ａ）と同様に、継続操作を受け付けるか否かを示している。
【００５７】
図１１（ａ）は、対象画像編集ルーチンの実行中に、ユーザにより操作パネル５００の操作が行われている様子を示している。図１１（ａ）は、対象画像選択画面ＳＩＳに換えて対象画像編集画面ＳＩＥがタッチパネル５１０に表示されている点と、機能ボタンを操作するユーザの指とタッチペン２０の位置が異なっている点とで、図７（ａ）と異なっている。他の点は、図７（ａ）と同じである。対象画像編集画面ＳＩＥには、対象画像選択画面ＳＩＳと同様に、対象画像ＩＭ２を表示する画像表示領域ＲＩＭと、５つのソフトボタンＢＳ１〜ＢＳ５と、が設けられている。対象画像編集画面ＳＩＥでは、対象画像ＩＭ２にファイル番号通知メッセージＭＮ２のみが重ね合わせて表示されている。
【００５８】
図１１（ａ）の例では、ユーザは、機能ボタン５３４（ＦＮ２）を操作しながら、タッチペン２０の先端部２２でタッチパネル５１０に触れている。そのため、図９のステップＳ４３０において、ユーザにより指定された動作は、図９（ｂ）の動作指定テーブルのハッチング部で示される「動作５」であると特定される。そして、ステップＳ４４０において、対象画像編集部１３４は、処理情報格納部１３６（図２）に格納された編集機能割当テーブル（図１０（ｃ））を参照して、ユーザにより実行を指定された機能を、画像を拡大する機能（編集Ｈ）と特定する。図１０（ｃ）に示すように編集Ｈの機能は、継続操作を受け付けるように設定されている。そのため、ユーザが機能ボタン５３４（ＦＮ２）を操作しながらタッチペン２０の先端部２２でタッチパネル５１０に触れている間、画像の拡大が行われる。なお、ユーザによる操作が継続している場合、継続操作中の所定の時間間隔ごとにユーザにより指定された処理を実行するものとしても良い。
【００５９】
図１１（ｂ）および図１１（ｃ）は、図１１（ａ）に示す状態から画像表示領域ＲＩＭに表示された画像ＩＭ２が順次拡大されていく様子を示している。図１１の例では、画像拡大機能の１回の実行により、画像表示領域ＲＩＭに表示される画像は、タッチペン２０の先端部２２が接触している位置を中心として、１．５倍に拡大される。図１１（ｂ）に示すように、拡大された画像ＩＥ２には、図１１（ａ）に示す拡大前の画像ＩＭ２と拡大画像ＩＥ２との位置関係を示す位置表示ウィンドウＷＳＣと、拡大の倍率をユーザに通知する倍率通知メッセージＭＭＧが、重ね合わせて表示されている。位置表示ウィンドウＷＳＣは、太線で示すウィンドウ外縁が拡大前の画像ＩＭ２の位置を示しており、位置表示ウィンドウＷＳＣ内のハッチングで示す領域ＷＤＲが画像表示領域ＲＩＭに表示されている拡大画像ＩＥ２の元の画像ＩＭ２に対する位置関係を示している。図１１（ｃ）も同様に、拡大された画像ＩＥ２ａには、位置表示ウィンドウＷＳＣａと、倍率通知メッセージＭＭＧａと、が重ね合わせて表示されている。
【００６０】
ユーザは、タッチペン２０と機能ボタン５３２〜５３６とを操作することにより、必要に応じて対象画像を編集する。そして、対象画像編集画面ＳＩＥに設けられた「ＯＫ」ボタンＢＳ５を操作することにより、対象画像の編集操作を終了する。これにより、図９に示す対象画像編集ルーチンは終了し、制御は図３に示す画像印刷ルーチンに戻される。
【００６１】
図９に示す対象画像編集ルーチンから図３に示す画像編集ルーチンに制御が戻されると、制御はステップＳ１３０に戻される。そして、全ての対象画像について編集操作が終了するまで、ステップＳ１３０〜Ｓ１５０が繰り返し実行される。
【００６２】
ステップＳ１３０において、全ての対象画像について編集操作が終了したと判断されると、ステップＳ１６０が実行される。ステップＳ１６０において、印刷処理実行部１３０は、全ての対象画像の印刷が終了したか否かを判断する。全ての対象画像の印刷が終了したと判断された場合、図３の画像印刷ルーチンは終了する。一方、未印刷の対象画像があると判断された場合、制御はステップＳ１７０に移される。ステップＳ１７０において、印刷処理実行部１３０は、編集された対象画像をプリントエンジン４００により印刷する。ステップＳ１７０における印刷の後、制御はステップＳ１６０に戻され、全ての対象画像が印刷されるまで、ステップＳ１６０，Ｓ１７０が繰り返し実行される。
【００６３】
このように、第１実施例では、印刷処理実行部１３０は、機能ボタン５３２〜５３６の操作状態とタッチペン２０の接触状態とに基づいて実行する処理機能を特定し、特定された処理機能を実行する。このように、処理機能が特定され実行されるので、ユーザは、タッチペン２０をタッチパネル５１０に接触させる操作を行うことにより、複数の機能のうちの特定の機能の実行を複合機１０に指示することができる。そのため、特定の機能の実行を指示するために、メニューから特定の機能の実行を指示する選択項目を探す操作が省略できるので、ユーザは、複合機１０に対する指示をより速やかに与えることができる。
【００６４】
Ｂ．第２実施例：
図１２は、第２実施例における対象画像選択ルーチンを示すフローチャートである。第２実施例の対象画像選択ルーチンは、ステップＳ２１０がステップＳ２１０ａに置き換えられている点で、図５に示す第１実施例の対象画像選択ルーチンと異なっている。他の点は、第１実施例の対象画像選択ルーチンと同じである。
【００６５】
ステップＳ２１０ａにおいて、対象画像選択部１３２（図２）は、アイコン表示と操作情報の取得を行う。図１３は、ステップＳ２１０ａにおいて実行されるアイコン表示・操作情報取得ルーチンを示すフローチャートである。図１４は、タッチパネル５１０にタッチペン２０を近づけていった場合の、操作パネル５００の様子を示す説明図である。なお、図１４では、タッチペン２０の先端部２２がタッチパネル５１０に向けられている状態、すなわち先端部２２が後端部２４よりもよりタッチパネル５１０に近い状態を示している。図１４でタッチペン２０が最も離れている状態の図１４（ａ）は、タッチペン２０の位置が異なる点を除いて、図７（ａ）と同じである。
【００６６】
ステップＳ６１０において、対象画像選択部１３２は、タッチペン２０（図２）の先端部２２および後端部２４（以下、これらを併せて単に「端部」とも呼ぶ）と、タッチパネル５１０（図２）との距離を取得する。なお、タッチペン２０の端部とタッチパネル５１０との距離は、例えば、タッチパネル５１０がタッチペン２０の位置を電磁的に検出するタッチパネルであれば、電磁的な信号の強度に基づいて取得することができる。
【００６７】
ステップＳ６２０において、対象画像選択部１３２は、タッチペン２０の端部とタッチパネル５１０との距離が所定の閾距離以下であるか否かを判断する。タッチペン２０の端部とタッチパネル５１０との距離が所定の閾距離以下であると判断された場合には、制御はステップＳ６３０に移される。一方、タッチペン２０の端部とタッチパネル５１０との距離が所定の閾距離より大きいと判断された場合には、制御はステップＳ６１０に戻される。
【００６８】
図１４（ａ）は、タッチペン２０がタッチパネル５１０から十分離れている状態を示している。そのため、図１３のステップＳ６２０において、タッチペン２０の端部とタッチパネル５１０との距離は所定の閾距離より大きいと判断され、制御はステップＳ６１０に戻される。一方、図１４（ｂ）は、タッチペン２０がタッチパネル５１０に十分近づいている状態を示している。また、図１４（ｃ）は、タッチペン２０がタッチパネル５１０に接触した状態を示している。そのため、図１４（ｂ）および図１４（ｃ）の状態では、図１３のステップＳ６２０において、タッチペンの端部とタッチパネル５１０との距離が所定の閾距離以下であると判断され、制御はステップＳ６３０に移される。
【００６９】
ステップＳ６３０において、対象画像選択部１３２は、機能ボタン５３２〜５３６の操作状態を取得する。そして、ステップＳ６４０およびＳ６５０において、タッチパネル５１０により近いタッチペン２０の端部が先端部２２と後端部２４とのいずれであるかの状態と、ステップＳ６３０で取得された機能ボタンの操作状態に基づいて、選択機能（図６（ｃ））を特定する。なお、ステップＳ６４０，Ｓ６５０における処理は、ステップＳ２３０，Ｓ２４０（図１２）と同様であるので、ここではその説明を省略する。
【００７０】
図１４（ｂ）および図１４（ｃ）の例では、ユーザは、機能ボタン５３２（ＦＮ１）を操作しながら、タッチペン２０の先端部２２をタッチパネル５１０に近づけている。そのため、ステップＳ６４０，Ｓ６５０において、図６（ｂ）および図６（ｃ）のハッチング部で示されるように、表示画像を次の画像に切り換える機能（選択Ｄ）が特定される。
【００７１】
図１３のステップＳ６６０において、対象画像選択部１３２は、特定された機能を表すアイコンをタッチパネル５１０上のタッチペン２０の端部に最も近い位置に表示する。対象画像選択部１３２は、具体的には、タッチパネル５１０とタッチペン２０とで授受される信号の強度が最も高いタッチパネル５１０上の位置にアイコンを表示する。なお、アイコンはタッチパネル５１０上であれば、任意の場所に表示するものとしても良い。ただし、タッチパネル５１０へのタッチペン２０の接触位置が予測しやすくなり、より操作性を高めることができるので、アイコンをタッチペン２０の端部に最も近い位置に表示するのがより好ましい。
【００７２】
図１４（ｂ）および図１４（ｃ）の例では、ステップＳ６４０，Ｓ６５０において特定された機能は、表示画像を次の画像に切り換える機能（選択Ｄ）となっている。そのため、タッチパネル５１０上には、表示画像を次の画像に切り換える機能を表すアイコンＩＦＷが表示される。
【００７３】
ステップＳ６７０において、対象画像選択部１３２は、タッチペン２０の端部がタッチパネル５１０に接触しているか否かを判断する。タッチペン２０の端部が接触していると判断された場合には、制御はステップＳ６８０に移される。一方、タッチペン２０の端部が接触していないと判断された場合には、制御はステップＳ６１０に戻され、タッチペン２０の端部がタッチパネル５１０に接触するまで、ステップＳ６１０〜Ｓ６７０が繰り返し実行される。
【００７４】
図１４（ｂ）の例では、タッチペン２０の先端部２２はタッチパネル５１０に接触していない。そのため、ステップＳ６７０では、タッチペン２０の端部が接触していないと判断され制御はステップＳ６１０に戻される。一方、図１４（ｃ）の例では、タッチペン２０の先端部２２はタッチパネル５１０に接触している。そのため、ステップＳ６７０では、タッチペン２０の端部が接触していると判断され制御はステップＳ６８０に移される。
【００７５】
ステップＳ６８０において、対象画像選択部１３２は、機能ボタン５３２〜５３６の操作状態を取得する。次いで、ステップＳ６９０において、タッチパネル５１０へのタッチペン２０の接触状態を取得する。そして、接触状態の取得の後、制御は図１２の対象画像選択ルーチンに戻される。
【００７６】
図１４（ｃ）の例では、対象画像選択ルーチンにおいて、ユーザが指定した処理機能が表示画像を次の画像に切り換える機能（選択Ｄ）と特定される。そのため、図１４（ｃ）に示すように、表示領域ＲＩＭ内に表示される画像は、画像ＩＭ２から画像ＩＭ３に切り換えられる。また、表示画像の切り換えに伴って、ファイル番号通知メッセージはメッセージＭＮ２からメッセージＭＮ３に変更され、枚数通知メッセージはメッセージＭＰ２からＭＰ３に変更される。
【００７７】
このように、第２実施例では、タッチペン２０をタッチパネル５１０に近づけることにより、タッチペン２０とタッチパネル５１０との位置関係と、機能ボタン５３２〜５３６の操作状態とに基づいて特定される機能のアイコンが表示される。そのため、ユーザはタッチペン２０を接触させた場合に実行される機能を予め予測することができるので、タッチペン２０を用いて複合機１０に指示を与えるのがより容易となる。
【００７８】
Ｃ．変形例：
なお、この発明は上記実施例や実施形態に限られるものではなく、その要旨を逸脱しない範囲において種々の態様において実施することが可能であり、例えば次のような変形も可能である。
【００７９】
Ｃ１．変形例１：
上記各実施例では、ハードボタンである機能ボタン５３２〜５３６（図２）の操作状態と、タッチペン２０の接触状態と、に基づいて実行される機能が特定されているが、実行される機能は、ソフトボタン（機能ソフトボタン）の操作状態と、タッチペン２０の操作状態に基づいて特定することも可能である。この場合、タッチパネル５１０には、機能ボタン５３２〜５３６に相当する機能ボタン画像が表示される。ユーザは、タッチペン２０で機能ボタン画像の表示領域に触れることにより、機能ソフトボタンを操作することができる。このようにタッチペン２０で機能ソフトボタンを操作する場合、機能ソフトボタンは、ユーザによる操作によりオン・オフ状態が切り替わるように構成される。このようにしても、ユーザは、機能ソフトボタンを予め操作し、その後タッチペン２０で指示を与えることにより、複数の機能のうちの特定の機能の実行を複合機１０に指示することができる。
【００８０】
Ｃ２．変形例２：
上記各実施例では、本発明を、画像の印刷時に行われる対象画像の選択処理と対象画像の編集処理とに適用しているが、本発明は、複数の機能を実行しうる処理であれば、複合機１０において実行される任意の処理について適用することができる。本発明は、例えば、原稿のスキャン時に行われるスキャン条件の設定処理や、原稿のコピー時に行われるコピー条件の設定処理にも適用することができる。
【００８１】
Ｃ３．変形例３：
上記各実施例では、本発明を複合機１０（図２）に適用しているが、本発明は、タッチパネル５１０を有しており、所定の処理において複数の機能が実行される画像印刷装置であれば、任意の装置に適用することが可能である。本発明は、例えば、スキャナやコピーの機能を有さないプリンタにも適用することもできる。
【図面の簡単な説明】
【００８２】
【図１】本発明の一実施例としての複合機１０を示す斜視図。
【図２】複合機１０の構成を示す説明図。
【図３】画像の印刷を行うための画像印刷ルーチンを示すフローチャート。
【図４】タッチパネル５１０に対象画像選択画面ＳＩＳが表示される様子を示す説明図。
【図５】対象画像選択部１３２により実行される対象画像選択ルーチンを示すフローチャート。
【図６】処理情報格納部１３６に格納され、対象画像選択部１３２により使用される情報の一例を示す表。
【図７】対象画像選択ルーチンの実行中に操作パネル５００がユーザにより操作される様子を示す説明図。
【図８】対象画像選択ルーチンの実行中に操作パネル５００がユーザにより操作される様子を示す説明図。
【図９】対象画像編集部により実行される対象画像編集ルーチンを示すフローチャート。
【図１０】処理情報格納部１３６に格納され、対象画像編集部１３４により使用される情報の一例を示す表。
【図１１】対象画像編集ルーチンの実行中に操作パネル５００がユーザにより操作される様子を示す説明図。
【図１２】第２実施例における対象画像選択ルーチンを示すフローチャート。
【図１３】アイコン表示・操作情報取得ルーチンを示すフローチャート。
【図１４】タッチパネル５１０にタッチペン２０を近づけていった場合の、操作パネル５００の様子を示す説明図。
【符号の説明】
【００８３】
１０…複合機
２０…タッチペン
２２…先端部
２４…後端部
１００…制御部
１１０…メモリカード制御部
１２０…スキャン処理実行部
１３０…印刷処理実行部
１３２…対象画像選択部
１３４…対象画像編集部
１３６…処理情報格納部
１４０…操作パネル制御部
２００…メモリカードスロット
３００…スキャンエンジン
４００…プリントエンジン
５００…操作パネル
５１０…タッチパネル
５２０…電源ボタン
５３２，５３４，５３６…機能ボタン
６００…ペンホルダ
【図１】
2008176351.tif 000003
【図２】
2008176351.tif 000004
【図３】
2008176351.tif 000005
【図４】
2008176351.tif 000006
【図５】
2008176351.tif 000007
【図６】
2008176351.tif 000008
【図７】
2008176351.tif 000009
【図８】
2008176351.tif 000010
【図９】
2008176351.tif 000011
【図１０】
2008176351.tif 000012
【図１１】
2008176351.tif 000013
【図１２】
2008176351.tif 000014
【図１３】
2008176351.tif 000015
【図１４】
2008176351.tif 000016